(57)【特許請求の範囲】
【請求項１】
被写体までの距離に対応した複数のゾーンにピントが合うように撮影レンズを移動するゾーン切替え機構と、このゾーン切替え機構を操作する切替え操作部材とを備えたゾーンフォーカス方式のカメラにおいて、
前記切替え操作部材の操作に連動して電源のオン・オフを行う電源スイッチを設け、この電源スイッチは、切替え操作部材の可動範囲の中間位置にオフ位置があることを特徴とするカメラ。
【請求項２】
前記切替え操作部材は、撮影レンズを保持するレンズ鏡筒の外周で回転自在とされたゾーン切替えリングであり、前記電源スイッチは、ゾーン切替えリングと一体に回転する金属接片と、該ゾーン切替えリングの回転位置に応じて金属接片に接触し、導通されるスイッチ基板とからなることを特徴とする請求項１記載のカメラ。
【発明の詳細な説明】
【０００１】
【発明の属する技術分野】
本発明は、カメラに関し、更に詳しくは、ゾーンフォーカス方式のカメラの改良に関するものである。
【０００２】
【従来の技術】
被写体を遠景，中景，近景等の複数のゾーンに分割し、撮影時に被写体までの距離を目測してどのゾーン内にあるかを判断し、その決定したゾーンに対応する位置に被写界深度の深い撮影レンズを光軸方向に沿って移動させて、ピント合わせを行うようにしたゾーンフォーカス方式のカメラがある。
【０００３】
また、このようなゾーンフォーカス方式のカメラでは、撮影レンズを各ゾーンに合致した位置に移動させるためのゾーン切替え機構と、このゾーン切替え機構を操作するための切替え操作部材を備えている。
【０００４】
【発明が解決しようとする課題】
ゾーンフォーカス方式のカメラでは、撮影を行う際に、カメラの電源を投入し、被写体までの距離に対応するゾーンを判断して切替え操作部材を操作し、ゾーン切替え機構により撮影レンズをそのゾーンに合致する位置に移動させるという数段階の操作が必要となり、実際に撮影を行うまでに時間がかかるという問題があった。また、ゾーンを複数有している場合、例えば遠景の被写体を撮影する際には、切替え操作部材を多く動かさなくてはならず、非常に煩わしいものであった。
【０００５】
本発明は、上記問題点を解決するためのもので、撮影操作を簡略化したカメラを提供することを目的とする。
【０００６】
【課題を解決するための手段】
上記問題点を解決するために、請求項１記載のカメラは、ゾーン切替え機構の切替え操作部材の操作に連動して、電源のオン・オフを行う電源スイッチを設けるとともに、この電源スイッチのオフ位置を、切替え操作部材の可動範囲の中間位置に設けたものである。
【０００７】
また、請求項２記載のカメラは、切替え操作部材として、撮影レンズを保持するレンズ鏡筒の外周で回転自在とされたゾーン切替えリングを用い、このゾーン切替えリングと一体に回転する金属接片と、該ゾーン切替えリングの回転位置に応じて金属接片に接触して、導通されるスイッチ基板とから電源スイッチを構成したものである。
【０００９】
【発明の実施の形態】
図２は、本発明を実施したインスタントカメラの外観を示すものである。このインスタントカメラ２は、撮影開口３の奥に撮影レンズが組み込まれた鏡筒部４と、ストロボ発光部５とが前面に設けられている。一方の側面には、撮影時に用いられるグリップ６が一体に形成され、その上部にはシャッタボタン７が設けられている。他方の側面には、撮影範囲を確認するファインダー８が設けられ、上面には撮影済みのフイルムユニット９が排出される排出口１０が設けられている。なお、図示しないが、インスタントカメラ２の背面側には、複数枚のフイルムユニット９を納めたフイルムパックが装填されるフイルム装填室を開閉する裏蓋が設けられている。
【００１０】
このインスタントカメラ２は、２点ゾーンフォーカス方式を用いており、各ゾーンの切り替えには、鏡筒部３に回転自在に設けられた切替え操作部材であるゾーン切替えリング１２が用いられる。このゾーン切替えリング１２は、インスタントカメラ２の電源のオン・オフにも用いられ、その外周面には滑り止めのための突条１２ａが複数個形成され、突条１２ａの間には凹形状の指標１３が設けられている。なお、撮影開口３の側方には、測光用窓１６，１７が、下方には円弧形状のスリット１４が設けられており、このスリット１４からは濃淡コントロールの切り替えを行う操作つまみ１５が突出されている。
【００１１】
図３に示すように、鏡筒部４の上面には、回転操作されたゾーン切替えリング１２の指標１３が合わされる３個のマーク１９，２０，２１が記されている。マーク１９，２０は、近景用と遠景用とを示し、マーク２０は電源のオフ位置を示す。インスタントカメラ２の電源は、ゾーン切替えリング１２の指標１３をマーク１９あるいはマーク２０に合わせることによりオンする。
【００１２】
このインスタントカメラ２は、フイルム装填室や各種撮影機構等が組付けられたブロック状の本体部２３（図４参照）の外側を、前後から外装部材である前カバー２４と後カバー２５とで覆った構成となっている。
【００１３】
図１及び図４に示すように、鏡筒部４は、本体部２３の前面側に形成された遮光筒２７と、この遮光筒２７の前面に組み付けられた鏡筒ユニット２８と、この鏡筒ユニット２８及び遮光筒２７を覆うように前カバー２４に形成された保護筒２９と、この保護筒２９の外周に回転自在に取り付けられたゾーン切替えリング１２と、このゾーン切替えリング１２の前方で保護筒２９に組み付けられる保護リング３０とからなる。遮光筒２７は、鏡筒ユニット２８からフイルム装填室内のフイルムユニット９の撮影面までの間を遮光するために設けられている。
【００１４】
鏡筒ユニット２８は、前後に前レンズ３２と後レンズ３３とからなる撮影レンズが組み込まれるシャッタユニット３４と、このシャッタユニット３４が内部に組み込まれ、前面にスイッチ基板３５が取り付けられて遮光筒２７の前面に固定される固定筒３６と、この固定筒３６の外周に回転自在に組み付けられ、前側の縁に金属接片３７が取り付けられるカム筒３８とから構成されている。
【００１５】
シャッタユニット３４は、円環形状のユニット本体４０内に電子シャッター４１が組み込まれ、その前後面に形成された保持筒４０ａ内に、前レンズ３２と後レンズ３３とがそれぞれ納められ、その前後に円環形状のレンズホルダー４２ａ，４２ｂを取り付けて保持している。ユニット本体４０の外周面には、３本のカムピン４３が等間隔で立設されている。
【００１６】
固定筒３６は、前面に撮影レンズに被写体光を入射させるための開口３６ａが形成されており、後部側に等間隔で形成された３個のボス３６ｂを利用して遮光筒２７の前面にネジ止めされる。なお、固定筒３６と遮光筒２７との間には、組み立て時に固定筒３６の光軸方向での位置調節を行うリング形状の調節カム４５が挟み込まれる。
【００１７】
固定筒３６の外周面には、シャッタユニット３４のカムピン４３に対応する位置に、光軸方向に沿って３個のスリット４７が形成されている。これらのスリット４７は、シャッタニット３４のカムピン４３がそれぞれ挿入され、シャッタユニット３４を固定筒３６内で光軸方向に沿って移動自在に保持する。
【００１８】
固定筒３６の開口３６ａの両隣には、それぞれ測光用のＣｄＳ素子４９と、オートストロボの制御に用いられるフォトトランジスタ５０とが組み込まれる組込み穴３６ｃ，３６ｄが形成されており、ＣｄＳ素子４９とフォトトランジスタ５０とは、鏡筒部４前面の測光用窓１６，１７を利用して測光を行う。
【００１９】
また、このＣｄＳ素子４９とフォトトランジスタ５０との前方で、前カバー２４の保護筒２９の内部には、ＣｄＳ素子４９とフォトトランジスタ５０との検出感度を変更して濃淡コントロールを行う、円板形状のフィルタ板５１が回転自在に組み込まれている。このフィルタ板５１には、前述の操作つまみ１５が一体に形成されている。
【００２０】
固定筒３６の前面には、後部側に一段引っ込んでスイッチ基板３５がネジ止めされる基板取付け面５３が形成されている。スイッチ基板３５は、フレキシブル基板によって形成されており、インスタントカメラ２の電源のオン・オフと、ゾーン切替えリング１２の回転位置の検出とに用いられる複数の接点部が形成されている。また、符号３５ａで示す部分には前述のＣｄＳ素子４９が取り付けられ、符号３５ｂで示す後部側に延ばされた部分は、インスタントカメラ２全体を制御する制御回路に接続される。
【００２１】
カム筒３８の内径面には、シャッタユニット３４のカムピン４３が挿入される３個のカム溝５５が形成されている。これらのカム溝５５は、カム筒３８が図１中において時計方向に回転されると、図５に示すように、シャッタユニット３４を光軸方向に沿って前方側に移動させ、逆にカム筒３８が反時計方向に回転されると、図６に示すように、シャッタユニット３４を光軸方向に沿って後方側に移動させる。
【００２２】
なお、シャッタユニット３４が図５に示す位置にあるときには、例えば２．５ｍ程度から無限遠までの被写体にピントが合い、３．２６ｍの距離の被写体に最も良好にピントが合うようになっている。また、シャッタユニット３４が図６に示す位置にあるときには、５０ｃｍから３ｍ程度までの距離の被写体にピントが合うが、１．４９ｍの距離の被写体に最も良好にピントが合うようになっている。
【００２３】
カム筒３８の外周面には、２本の突条からなる係合部５７ａ，５７ｂが回転対称に２個形成されており、これらの係合部５７ａ，５７ｂにはゾーン切替えリング１２の内径面に突出された突出片５８ａ，５８ｂが係合する。これにより、カム筒３８はゾーン切替えリング１２の回転に連動して一体に回転するようになる。なお、ゾーン切替えリング１２の突出片５８ａ，５８ｂは、前カバー２４の保護筒２９に形成された切欠５９を通して係合部５７ａ，５７ｂに係合し、この切欠５９は、ゾーン切替えリング２９の回転範囲において突出片５８ａ，５８ｂが保護筒２９に干渉しないように形成されている。
【００２４】
カム筒３８の前面側縁の下方には、金属薄板で形成された金属接片３７がネジ止めされる。この金属接片３７には、弾性を有する３本の接触片６０，６１，６２が設けられており、それぞれ後部側に向かって僅かに折り曲げられて、先端部分がスイッチ基板３５に接触するようになっている。
【００２５】
図７に示すように、スイッチ基板３５の表面には、円弧形状の接点部６４，６５ａ，６５ｂ，６６ａ，６６ｂが形成されており、接点部６４，６５ａ，６５ｂは電源のオン・オフに用いられ、接点部６６ａ，６６ｂは、ゾーン切替えリング１２の回転位置を検出するために用いられる。
【００２６】
金属接片３７の接触片６０，６１，６２は、各接点部６４，６５，６６に対応して設けられており、接触片６２，６１は電源のオン・オフ用で、接触片６０はゾーン切替えリング１２の回転位置を検出するために用いられる。ゾーン切替えリング１２が、電源オフを示すマーク２１の位置にあるときには、接触片６０，６１はスイッチ基板３５の接点部の設けられていない位置に接触している。
【００２７】
ゾーン切替えリング１２が遠景を示すマーク２０の位置にあるときには、接触片６１が接点部６５ｂに接触し、インスタントカメラ２の電源がオンする。更に、接触片６０が接点部６６ｂに接触するので、ゾーン切替えリング１２が遠景の位置にあることを示す検出信号が制御回路に入力される。同様に、ゾーン切替えリング１２が近景を示すマーク１９の位置にあるときには、接触片６１が接点部６５ａに接触して電源がオンし、更に接触片６０が接点部６６ａに接触するのでゾーン切替えリング１２が近景の位置にあることを示す検出信号が制御回路に入力される。このゾーン切替えリング１２の位置を示す検出信号は、露光制御の補正に用いられる。
【００２８】
また、カム筒３８には穴６７が形成されており、この穴６７には小径の鉄製のボール６８が納められる。このボール６８は、ゾーン切替えリング１２が各マーク１９〜２１に合致しているときに、固定筒３６の外周面に形成された図示しない凹部に入り込んで、クリック感を与える。なお、金属接片３７に一体に形成された帯状部６９は、穴６７に対応する位置でカム筒３８の外周面に取り付けられ、ボール６８が穴６７から落ちるの防止するとともに、ボール６８を固定筒３６の外周面に押しつけるバネとなる。
【００２９】
次に、上記実施形態の作用について説明する。不使用時のインスタントカメラ２は、図１に示すように、ゾーン切替えリング１２の指標１３が中央のマーク２１に合わせられている。この状態では、図４に示すように、シャッタユニット３４は固定筒３６内で中間位置にあり、図７に示すように、金属接片３７の接触片６０，６１はスイッチ基板３５の接点部に接触していないので、インスタントカメラ２の電源はオフ状態となっている。
【００３０】
撮影を行う際に撮影者は、まず撮影する被写体までの距離の目測を行う。この目測で、被写体までの距離を例えば２ｍ前後と判断した場合、鏡筒部４のゾーン切替えリング１２を回転操作して、図３に示す指標１３をマーク１９に合わせる。ゾーン切替えリング１２を回転して、指標１３を各マークに合わせると、カム筒３８に保持されたボール６８が固定筒３６の外周面に形成された溝に入り込んでクリック感が得られるので、ゾーン切替えリング１２を適正な位置まで回転させたことが容易に分かる。
【００３１】
ゾーン切替えリング１２の指標１３がマーク１９に合わせられると、図１に示すように、ゾーン切替えリング１２の突出片５８ａ，５８ｂが係合部５７ａ，５７ｂに係合されたカム筒３８は、図中反時計方向に回転する。これにより、カム溝５５にカム軸４３が挿入されているシャッタユニット３４は、図６に示すように、固定筒３６のスリット４７に沿って後部側に移動し、被写体にピントが合う。
【００３２】
また、図９に示すように、カム筒３８と一体に回転された金属接片３７の接触片６１は、スイッチ基板３５の接点部６５ａに接触するのでインスタントカメラ２の電源がオンする。また、接触片６０が接点部６６ａに接触することにより、ゾーン切替えリング１２がマーク１９に合わせれていることを示す検出信号がインスタントカメラ２の制御回路に入力し、制御回路は近影に適した露光制御を行う。
【００３３】
撮影者は、ファインダ８を覗いて被写体のフレーミングを行い、シャッタボタン７を半押しする。すると、測光窓１６を通してＣｄＳ素子４９が被写体の測光を行い、シャッタボタン７を更に押し込むと測光に基づいた露光制御でシャッタレリーズが行われる。また、被写体が暗い場合には、制御回路がオートストロボを作動させ、ストロボ発光部５から被写体に向けてストロボ光を照射する。
【００３４】
撮影が終了すると、露光済みのフイルムユニット９が排出口１０から排出され、しばらくするとフイルムユニット９での現像が終了し、フイルムユニット９に撮影した画像が表示される。このように、電源の投入と、ゾーンの切り替えとを一動作で行えるので、不使用状態から撮影終了までの操作が減少し、スムーズに撮影を行うことができる。
【００３５】
また、例えば３．２６ｍから無限遠までの距離の被写体を撮影する場合には、ゾーン切替えリング１２を回転操作して、指標１３をオフ位置であるマーク２１からマーク２０に合わせる。すると、図１に示すカム筒３８は、図中時計方向に回転し、図５に示すように、シャッタユニット３４はカム溝５５によって前方に移動する。また、図８に示すように、金属接片３７の接触片６１はスイッチ基板３５の接点部６５ｂに接触するので、インスタントカメラ２の電源がオンとなる。更に、接触片６０が接点部６６ｂに接触するので、ゾーン切替えリング１２がマーク２０に合わされていることを示す検出信号が、制御回路に入力される。
【００３６】
その後、一連の撮影操作を行うと、制御回路は遠景に合った露光制御を行い、撮影済みのフイルムユニット９は排出口１０から排出される。このように、スイッチ基板３５と金属接片３７とからなる電源スイッチのオフ位置を、遠景と近景との中間に配置したので、従来のように遠景を撮影する際にゾーン切替えリングの操作量が多くなるようなことはなく、被写体が近くても遠くても、ゾーン切替えリング１２の回転方向が逆向きなだけで操作量は同じなので、スムーズに撮影操作を行うことができる。
【００３７】
なお、上記実施形態では、インスタントカメラを例に説明したが、サイズに係わらず通常の写真フイルムを用いるカメラにも用いることができる。また、ゾーン切替え機構の切替え操作部材として、鏡筒の周囲で回転するゾーン切替えリングを用いたが、近景から遠景までの切り替えを一つの操作部材の移動で行うもの、例えばスライド式の切替え操作部材にも適用することができる。更に、２点ゾーン切替えとしたが、更に多数のゾーンを有するカメラにも用いることができる。
【００３８】
【発明の効果】
以上説明したように、本発明のカメラによれば、ゾーン切替え機構の切替え操作部材の操作に連動して電源のオン・オフを行う電源スイッチを設けたので、不使用状態から撮影完了までの操作数が少なくなり、スムーズに撮影を行うことができる。
【００３９】
また、電源スイッチをゾーン切換えリングの回転操作に連動するようにしたので、カメラ本体に電源スイッチを設ける必要がなくなり、カメラの小型化やコストダウン、製造効率の向上が可能となる。更に、電源スイッチのオフ位置を切替え操作部材の操作範囲の中間位置にしたので、遠景の撮影でも近景の撮影でも切替え操作部材の操作量は同じなり、従来のような遠景撮影時の操作量の増加は発生しない。
【図面の簡単な説明】
【図１】鏡筒ユニットの構成を示す分解斜視図である。
【図２】鏡筒部の平面図である。
【図３】本発明を実施したインスタントカメラの外観を示す斜視図である。
【図４】電源オフ時の鏡筒部の状態を示す要部断面図である。
【図５】遠景撮影時の鏡筒部の状態を示す要部断面図である。
【図６】近景撮影時の鏡筒部の状態を示す要部断面図である。
【図７】電源オフ時の電源スイッチの状態を示す正面図である。
【図８】遠景撮影時の電源スイッチの状態を示す正面図である。
【図９】近景撮影時の電源スイッチの状態を示す正面図である。
【符号の説明】
２  インスタントカメラ
４  鏡筒部
１２  ゾーン切替えリング
１３  指標
１９〜２０  マーク
２７  遮光筒
２８  鏡筒ユニット
２９  保護筒
３０  保護リング
３４  シャッタユニット
３５  シャッタ基板
３６  固定筒
３７  金属接片
３８  カム筒
【図１】
0003714728.tif 000002
【図２】
0003714728.tif 000003
【図３】
0003714728.tif 000004
【図４】
0003714728.tif 000005
【図５】
0003714728.tif 000006
【図６】
0003714728.tif 000007
【図７】
0003714728.tif 000008
【図８】
0003714728.tif 000009
【図９】
0003714728.tif 000010